(57)【要約】【課題】利便性を向上させること。【解決手段】医療用光源装置１００は、第１の波長帯域の光を発光する第１の光源３１と、第１の波長帯域とは異なる第２の波長帯域の光を発光する第２の光源３２と、第１，第２の光源３１，３２の動作をそれぞれ制御し、第１，第２の光源３１，３２をそれぞれパルス発光させる光源制御部９４１とを備える。光源制御部９４１は、第１の光源３１がパルス発光する頻度に対して第２の光源３２がパルス発光する頻度を少なくした状態で第１，第２の光源３１，３２の動作を制御する。【選択図】図２
2020130538.tif 000002
【特許請求の範囲】
【請求項１】
第１の波長帯域の光を発光する第１の光源と、
前記第１の波長帯域とは異なる第２の波長帯域の光を発光する第２の光源と、
前記第１の光源及び前記第２の光源の動作をそれぞれ制御し、前記第１の光源及び前記第２の光源をそれぞれパルス発光させる光源制御部とを備え、
前記光源制御部は、
前記第１の光源がパルス発光する頻度に対して前記第２の光源がパルス発光する頻度を少なくした状態で前記第１の光源及び前記第２の光源の動作を制御する
ことを特徴とする医療用光源装置。
【請求項２】
前記光源制御部は、
周期的に繰り返される各期間のうち、第１の期間に前記第１の光源をパルス発光させるとともに、前記第１の期間とは異なる期間であり、かつ、前記第１の期間よりも頻度の少ない期間である第２の期間に前記第２の光源をパルス発光させる
ことを特徴とする請求項１に記載の医療用光源装置。
【請求項３】
前記第１の光源は、
白色光を発光する光源であり、
前記第２の光源は、
蛍光物質を励起する励起光を発光する光源である
ことを特徴とする請求項１または２に記載の医療用光源装置。
【請求項４】
前記第１の光源は、
ＬＥＤであり、
前記第２の光源は、
半導体レーザである
ことを特徴とする請求項３に記載の医療用光源装置。
【請求項５】
請求項１〜４のいずれか一つに記載の医療用光源装置と、
前記医療用光源装置からの光が照射された観察対象を撮像する撮像装置とを備える
ことを特徴とする医療用観察システム。
【請求項６】
前記光源制御部は、
周期的に繰り返される各期間のうち、第１の期間に前記第１の光源をパルス発光させるとともに、前記第１の期間とは異なる期間であり、かつ、前記第１の期間よりも頻度の少ない期間である第２の期間に前記第２の光源をパルス発光させ、
前記撮像装置は、
撮像することで撮像画像を生成する撮像素子を１つのみ有する撮像部を備え、
前記撮像素子は、
前記第１の期間において、前記観察対象を撮像することで第１の撮像画像を生成し、
前記第２の期間において、前記観察対象を撮像することで第２の撮像画像を生成する
ことを特徴とする請求項５に記載の医療用観察システム。
【請求項７】
前記撮像装置にて順次、生成された前記第１の撮像画像及び前記第２の撮像画像を処理する制御装置をさらに備え、
前記制御装置は、
前記第１の撮像画像に対して第１の画像処理を実行する第１の画像処理部と、
前記第２の撮像画像に対して前記第１の画像処理とは異なる第２の画像処理を実行する第２の画像処理部とを備える
ことを特徴とする請求項６に記載の医療用観察システム。
【請求項８】
前記制御装置は、
データを記憶するメモリと、
前記メモリへのデータの書込み及び読出しを制御するメモリコントローラとを備え、
前記メモリコントローラは、
前記撮像装置にて順次、生成された前記第１の撮像画像及び前記第２の撮像画像を前記メモリに順次、書き込むとともに、前記メモリから読み出した前記第１の撮像画像を前記第１の画像処理部に入力させ、前記メモリから読み出した前記第２の撮像画像を前記第２の画像処理部に入力させる
ことを特徴とする請求項７に記載の医療用観察システム。
【請求項９】
前記メモリコントローラは、
前記第２の期間において撮像された前記第１の撮像画像を擬似的に生成するために、前記メモリから直前に読み出した前記第１の撮像画像を再度、前記メモリから読み出し、当該再度、読み出した前記第１の撮像画像を前記第１の画像処理部に入力させる
ことを特徴とする請求項８に記載の医療用観察システム。
【請求項１０】
前記メモリコントローラは、
前記第１の期間において撮像された前記第２の撮像画像を擬似的に生成するために、前記メモリから直前に読み出した前記第２の撮像画像を再度、前記メモリから読み出し、当該再度、読み出した前記第２の撮像画像を前記第２の画像処理部に入力させる
ことを特徴とする請求項８または９に記載の医療用観察システム。
【発明の詳細な説明】
【技術分野】
【０００１】
本発明は、医療用光源装置及び医療用観察システムに関する。
【背景技術】
【０００２】
従来、被写体となる生体内（観察対象）を撮像（観察）する医療用観察システムにおいて、第１，第２の光源を有する医療用光源装置を搭載した構成が知られている（例えば、特許文献１参照）。
特許文献１に記載の医療用光源装置では、第１の光源は、白色光を発光する。一方、第２の光源は、生体内に含まれる蛍光物質を励起する励起光を発光する。そして、当該医療用光源装置では、第１，第２の光源を時分割で交互に発光させる。
【先行技術文献】
【特許文献】
【０００３】
【特許文献１】特開２０１３−１０２８９９号公報
【発明の概要】
【発明が解決しようとする課題】
【０００４】
ここで、特許文献１に記載の医療用光源装置において、第１，第２の光源の仕様として、寿命に大きな差がある場合を想定する。例えば、第１の光源をＬＥＤ（Light  Emitting  Diode）で構成し、第２の光源を半導体レーザで構成した場合には、第１の光源は、第２の光源よりも寿命が長いものとなる。
そして、上述した場合には、特許文献１に記載の医療用光源装置では、第１，第２の光源を時分割で交互に発光させているため、第１，第２の光源の使用時間が略同一のものとなり、第２の光源は、第１の光源よりも早い時期に寿命による交換が必要となる。すなわち、第１，第２の光源を略同一の時期に交換することとなる構成とすれば利便性の向上が図れるところ、交換時期が異なることになるため、利便性を向上させることができない、という問題がある。
【０００５】
本発明は、上記に鑑みてなされたものであって、利便性を向上させることができる医療用光源装置、及び医療用観察システムを提供することを目的とする。
【課題を解決するための手段】
【０００６】
上述した課題を解決し、目的を達成するために、本発明に係る医療用光源装置は、第１の波長帯域の光を発光する第１の光源と、前記第１の波長帯域とは異なる第２の波長帯域の光を発光する第２の光源と、前記第１の光源及び前記第２の光源の動作をそれぞれ制御し、前記第１の光源及び前記第２の光源をそれぞれパルス発光させる光源制御部とを備え、前記光源制御部は、前記第１の光源がパルス発光する頻度に対して前記第２の光源がパルス発光する頻度を少なくした状態で前記第１の光源及び前記第２の光源の動作を制御することを特徴とする。
【０００７】
また、本発明に係る医療用光源装置では、上記発明において、前記光源制御部は、周期的に繰り返される各期間のうち、第１の期間に前記第１の光源をパルス発光させるとともに、前記第１の期間とは異なる期間であり、かつ、前記第１の期間よりも頻度の少ない期間である第２の期間に前記第２の光源をパルス発光させることを特徴とする。
【０００８】
また、本発明に係る医療用光源装置では、上記発明において、前記第１の光源は、白色光を発光する光源であり、前記第２の光源は、蛍光物質を励起する励起光を発光する光源であることを特徴とする。
【０００９】
また、本発明に係る医療用光源装置では、上記発明において、前記第１の光源は、ＬＥＤであり、前記第２の光源は、半導体レーザであることを特徴とする。
【００１０】
本発明に係る医療用観察システムは、上述した医療用光源装置と、前記医療用光源装置からの光が照射された観察対象を撮像する撮像装置とを備えることを特徴とする。
【００１１】
また、本発明に係る医療用観察システムでは、上記発明において、前記光源制御部は、周期的に繰り返される各期間のうち、第１の期間に前記第１の光源をパルス発光させるとともに、前記第１の期間とは異なる期間であり、かつ、前記第１の期間よりも頻度の少ない期間である第２の期間に前記第２の光源をパルス発光させ、前記撮像装置は、撮像することで撮像画像を生成する撮像素子を１つのみ有する撮像部を備え、前記撮像素子は、前記第１の期間において、前記観察対象を撮像することで第１の撮像画像を生成し、前記第２の期間において、前記観察対象を撮像することで第２の撮像画像を生成することを特徴とする。
【００１２】
また、本発明に係る医療用観察システムでは、上記発明において、前記撮像装置にて順次、生成された前記第１の撮像画像及び前記第２の撮像画像を処理する制御装置をさらに備え、前記制御装置は、前記第１の撮像画像に対して第１の画像処理を実行する第１の画像処理部と、前記第２の撮像画像に対して前記第１の画像処理とは異なる第２の画像処理を実行する第２の画像処理部とを備えることを特徴とする。
【００１３】
また、本発明に係る医療用観察システムでは、上記発明において、前記制御装置は、データを記憶するメモリと、前記メモリへのデータの書込み及び読出しを制御するメモリコントローラとを備え、前記メモリコントローラは、前記撮像装置にて順次、生成された前記第１の撮像画像及び前記第２の撮像画像を前記メモリに順次、書き込むとともに、前記メモリから読み出した前記第１の撮像画像を前記第１の画像処理部に入力させ、前記メモリから読み出した前記第２の撮像画像を前記第２の画像処理部に入力させることを特徴とする。
【００１４】
また、本発明に係る医療用観察システムでは、上記発明において、前記メモリコントローラは、前記第２の期間において撮像された前記第１の撮像画像を擬似的に生成するために、前記メモリから直前に読み出した前記第１の撮像画像を再度、前記メモリから読み出し、当該再度、読み出した前記第１の撮像画像を前記第１の画像処理部に入力させることを特徴とする。
【００１５】
また、本発明に係る医療用観察システムでは、上記発明において、前記メモリコントローラは、前記第１の期間において撮像された前記第２の撮像画像を擬似的に生成するために、前記メモリから直前に読み出した前記第２の撮像画像を再度、前記メモリから読み出し、当該再度、読み出した前記第２の撮像画像を前記第２の画像処理部に入力させることを特徴とする。
【発明の効果】
【００１６】
本発明に係る医療用光源装置及び医療用観察システムによれば、利便性を向上させることができる。
【図面の簡単な説明】
【００１７】
【図１】図１は、実施の形態に係る医療用観察システムの構成を示す図である。
【図２】図２は、カメラヘッド及び制御装置の構成を示すブロック図である。
【図３】図３は、制御装置の動作を示すフローチャートである。
【図４】図４は、制御装置の動作を説明する図である。
【図５】図５は、制御装置の動作を説明する図である。
【発明を実施するための形態】
【００１８】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００１９】
〔医療用観察システムの概略構成〕
図１は、本実施の形態に係る医療用観察システム１の構成を示す図である。
医療用観察システム１は、医療分野において用いられ、被写体となる生体内（観察対象）を撮像（観察）するシステムである。この医療用観察システム１は、図１に示すように、挿入部２と、光源装置３と、ライトガイド４と、カメラヘッド５と、第１伝送ケーブル６と、表示装置７と、第２伝送ケーブル８と、制御装置９と、第３伝送ケーブル１０とを備える。
【００２０】
本実施の形態では、挿入部２は、硬性内視鏡で構成されている。すなわち、挿入部２は、全体が硬質、または一部が軟質で他の部分が硬質である細長形状を有し、生体内に挿入される。この挿入部２内には、１または複数のレンズを用いて構成され、被写体からの光（被写体像や蛍光像）を集光する光学系が設けられている。
【００２１】
光源装置３は、ライトガイド４の一端が接続され、制御装置９による制御の下、当該ライトガイド４の一端に生体内に照射する光を供給する。この光源装置３は、図１に示すように、第１の光源３１と、第２の光源３２とを備える。
第１の光源３１は、第１の波長帯域の光を発光する。本実施の形態では、第１の光源３１は、白色光を発光するＬＥＤで構成されている。
第２の光源３２は、第１の波長帯域とは異なる第２の波長帯域の光を発光する。本実施の形態では、近赤外の波長帯域の近赤外励起光を発光する半導体レーザで構成されている。当該近赤外励起光は、インドシアニングリーン等の蛍光物質を励起する励起光である。
【００２２】
そして、光源装置３では、具体的には後述するが、制御装置９による制御の下、周期的に繰り返される各期間Ｔ（図４参照）のうち、第１の期間Ｔ１（図４参照）において第１の光源３１が発光し、第２の期間Ｔ２において第２の光源３２が発光する。
なお、本実施の形態では、光源装置３は、制御装置９とは別体で構成されているが、これに限らず、当該制御装置９内部に設けられた構成を採用しても構わない。
【００２３】
ライトガイド４は、一端が光源装置３に着脱自在に接続されるとともに、他端が挿入部２に着脱自在に接続される。そして、ライトガイド４は、光源装置３から供給された光（白色光や近赤外励起光）を一端から他端に伝達し、挿入部２に供給する。挿入部２に供給された光は、当該挿入部２の先端から出射され、生体内に照射される。生体内に白色光が照射された場合には、当該生体内で反射された被写体像が挿入部２内の光学系により集光される。また、生体内に近赤外励起光が照射された場合には、当該生体内における病変部に集積するインドシアニングリーン等の蛍光物質（薬剤）が励起され、当該生体内から発せられた蛍光像が挿入部２内の光学系により集光される。
【００２４】
カメラヘッド５は、本発明に係る撮像装置に相当する。このカメラヘッド５は、挿入部２の基端（接眼部２１（図１））に着脱自在に接続される。そして、カメラヘッド５は、制御装置９による制御の下、挿入部２にて集光された被写体像や蛍光像を撮像し、当該撮像による画像信号（ＲＡＷ信号）を出力する。当該画像信号は、例えば、４Ｋ以上の画像信号である。
なお、カメラヘッド５の詳細な構成については、後述する。
【００２５】
第１伝送ケーブル６は、一端がコネクタＣＮ１（図１）を介して制御装置９に着脱自在に接続され、他端がコネクタＣＮ２（図１）を介してカメラヘッド５に着脱自在に接続される。そして、第１伝送ケーブル６は、カメラヘッド５から出力される画像信号等を制御装置９に伝送するとともに、制御装置９から出力される制御信号、同期信号、クロック、及び電力等をカメラヘッド５にそれぞれ伝送する。
なお、第１伝送ケーブル６を介したカメラヘッド５から制御装置９への画像信号等の伝送は、当該画像信号等を光信号で伝送してもよく、あるいは、電気信号で伝送しても構わない。第１伝送ケーブル６を介した制御装置９からカメラヘッド５への制御信号、同期信号、クロックの伝送も同様である。
【００２６】
表示装置７は、液晶または有機ＥＬ（Electro  Luminescence）等を用いた表示ディスプレイで構成され、制御装置９による制御の下、当該制御装置９からの映像信号に基づく画像を表示する。
第２伝送ケーブル８は、一端が表示装置７に着脱自在に接続され、他端が制御装置９に着脱自在に接続される。そして、第２伝送ケーブル８は、制御装置９にて処理された映像信号を表示装置７に伝送する。
【００２７】
制御装置９は、ＣＰＵ（Central  Processing  Unit）やＦＰＧＡ（Field-Programmable  Gate  Array）等で構成され、光源装置３、カメラヘッド５、及び表示装置７の動作を統括的に制御する。
なお、制御装置９の詳細な構成については、後述する。
第３伝送ケーブル１０は、一端が光源装置３に着脱自在に接続され、他端が制御装置９に着脱自在に接続される。そして、第３伝送ケーブル１０は、制御装置９からの制御信号を光源装置３に伝送する。
【００２８】
〔カメラヘッドの構成〕
次に、カメラヘッド５の構成について説明する。
図２は、カメラヘッド５及び制御装置９の構成を示すブロック図である。
なお、図２では、説明の便宜上、制御装置９及びカメラヘッド５と第１伝送ケーブル６との間のコネクタＣＮ１，ＣＮ２、制御装置９及び表示装置７と第２伝送ケーブル８との間のコネクタ、制御装置９及び光源装置３と第３伝送ケーブル１０との間のコネクタの図示を省略している。
カメラヘッド５は、図２に示すように、レンズユニット５１と、撮像部５２と、通信部５３とを備える。
【００２９】
レンズユニット５１は、１または複数のレンズを用いて構成され、挿入部２にて集光された被写体像や蛍光像を撮像部５２（撮像素子５２１）の撮像面に結像する。
撮像部５２は、制御装置９による制御の下、生体内を撮像する。この撮像部５２は、図２に示すように、撮像素子５２１と、信号処理部５２２とを備える。
撮像素子５２１は、レンズユニット５１が結像した被写体像や蛍光像を受光して電気信号（アナログ信号）に変換するＣＣＤ（Charge  Coupled  Device）またはＣＭＯＳ（Complementary  Metal  Oxide  Semiconductor）等で構成されている。そして、撮像素子５２１は、制御装置９による制御の下、光源装置３の発光タイミングに同期して、周期的に繰り返される各期間Ｔ（図４参照）毎に撮像を行う。以下では、説明の便宜上、撮像素子５２１により第１の期間Ｔ１において撮像することで生成された画像を被写体画像（本発明に係る第１の撮像画像に相当）と記載し、撮像素子５２１により第２の期間Ｔ２において撮像することで生成された画像を蛍光画像（本発明に係る第２の撮像画像に相当）と記載する。また、被写体画像及び蛍光画像を纏めて撮像画像と記載する。
信号処理部５２２は、撮像素子５２１にて生成された撮像画像（アナログ信号）に対して信号処理を行って撮像画像（ＲＡＷ信号（デジタル信号））を出力する。
【００３０】
通信部５３は、第１伝送ケーブル６を介して、撮像部５２から出力される撮像画像（ＲＡＷ信号（デジタル信号））を制御装置９に送信するトランスミッタとして機能する。この通信部５３は、例えば、第１伝送ケーブル６を介して、制御装置９との間で、１Ｇｂｐｓ以上の伝送レートで撮像画像の通信を行う高速シリアルインターフェースで構成されている。
【００３１】
〔制御装置の構成〕
次に、制御装置９の構成について図２を参照しながら説明する。
制御装置９は、図２に示すように、通信部９１と、メモリ９２と、観察画像生成部９３と、制御部９４と、入力部９５と、出力部９６と、記憶部９７とを備える。
通信部９１は、第１伝送ケーブル６を介して、カメラヘッド５（通信部５３）から出力される撮像画像（ＲＡＷ信号（デジタル信号））を受信するレシーバとして機能する。この通信部９１は、例えば、通信部５３との間で、１Ｇｂｐｓ以上の伝送レートで撮像画像の通信を行う高速シリアルインターフェースで構成されている。
メモリ９２は、例えば、ＤＲＡＭ（Dynamic  Random  Access  Memory）等で構成されている。このメモリ９２は、カメラヘッド５（通信部５３）から順次、出力される撮像画像を複数フレーム分、一時的に記憶可能とする。
【００３２】
観察画像生成部９３は、制御部９４による制御の下、カメラヘッド５（通信部５３）から順次、出力され、通信部９１にて受信した撮像画像（ＲＡＷ信号（デジタル信号））を処理する。この観察画像生成部９３は、図２に示すように、メモリコントローラ９３１と、第１の画像処理部９３２と、第２の画像処理部９３３と、重畳画像生成部９３４と、表示制御部９３５とを備える。
【００３３】
メモリコントローラ９３１は、メモリ９２への撮像画像の書込み及び読出しを制御する。より具体的に、メモリコントローラ９３１は、カメラヘッド５（通信部５３）から順次、出力され、通信部９１にて受信した撮像画像（被写体画像及び蛍光画像）をメモリ９２に順次、書き込む。また、メモリコントローラ９３１は、メモリ９２から被写体画像を特定のタイミングで読み出すとともに、当該読み出した被写体画像を第１の画像処理部９３２に入力させる。さらに、メモリコントローラ９３１は、メモリ９２から蛍光画像を特定のタイミングで読み出すとともに、当該読み出した蛍光画像を第２の画像処理部９３３に入力させる。
【００３４】
第１の画像処理部９３２は、入力した被写体画像（ＲＡＷ信号（デジタル信号））に対して、第１の画像処理を実行する。
当該第１の画像処理としては、例えば、オプティカルブラック減算処理、ホワイトバランス調整処理、デモザイク処理、色補正処理、ガンマ補正処理、ＲＧＢ信号（第１の撮像画像）を輝度信号及び色差信号（Ｙ，ＣＢ／ＣＲ信号）に変換するＹＣ処理等を例示することができる。
【００３５】
第２の画像処理部９３３は、入力した蛍光画像（ＲＡＷ信号（デジタル信号））に対して、第１の画像処理とは異なる第２の画像処理を実行する。
当該第２の画像処理としては、入力した蛍光画像（ＲＡＷ信号（デジタル信号））から輝度信号（Ｙ信号）のみを生成する処理、及び、全画像領域において輝度値が特定の閾値以上となる画素位置（インドシアニングリーン等の蛍光物質が励起された画素位置）を他の画素位置と識別する強調処理等を例示することができる。
【００３６】
重畳画像生成部９３４は、第１の画像処理部９３２にて第１の画像処理が実行された後の被写体画像と、第２の画像処理部９３３にて第２の画像処理が実行された後の蛍光画像とを全ての領域について対応する領域（画素）同士で重畳して重畳画像を生成する。
表示制御部９３５は、制御部９４による制御の下、重畳画像生成部９３４にて生成された重畳画像に基づいて、表示用の映像信号を生成する。そして、表示制御部９３５は、第２伝送ケーブル８を介して、当該映像信号を表示装置７に出力する。
【００３７】
制御部９４は、例えば、ＣＰＵやＦＰＧＡ等を用いて構成され、第１〜第３伝送ケーブル６，８，１０を介して制御信号を出力することで、光源装置３、カメラヘッド５、及び表示装置７の動作を制御するとともに、制御装置９全体の動作を制御する。この制御部９４は、図２に示すように、光源制御部９４１と、撮像制御部９４２とを備える。そして、光源制御部９４１及び第１，第２の光源３１，３２は、本発明に係る医療用光源装置１００（図２）に相当する。なお、光源制御部９４１及び撮像制御部９４２の機能については、後述する「制御装置の動作」において説明する。
【００３８】
入力部９５は、マウス、キーボード、及びタッチパネル等の操作デバイスを用いて構成され、医師等のユーザによるユーザ操作を受け付ける。そして、入力部９５は、当該ユーザ操作に応じた操作信号を制御部９４に出力する。
出力部９６は、スピーカやプリンタ等を用いて構成され、各種情報を出力する。
記憶部９７は、制御部９４が実行するプログラムや、制御部９４の処理に必要な情報等を記憶する。
【００３９】
〔制御装置の動作〕
次に、上述した制御装置９の動作について説明する。
図３は、制御装置９の動作を示すフローチャートである。図４及び図５は、制御装置９の動作を説明する図である。具体的に、図４（ａ）は、同期信号を示すタイムチャートである。図４（ｂ）は、第１，第２の光源３１，３２の発光タイミングを示すタイムチャートである。なお、図４（ｂ）では、第１の光源３１が発光している期間内に「ＷＬＩ」の文字を付し、第２の光源３２が発光している期間内に「ＩＲ」の文字を付している。図４（ｃ）は、撮像素子５２１からの撮像画像の出力タイミングを示すタイムチャートである。図４（ｄ）、図４（ｈ）、及び図４（ｌ）は、撮像素子５２１にて生成された被写体画像のメモリ９２への書込みタイミングを示すタイムチャートである。図４（ｅ）、図４（ｉ）、及び図４（ｍ）は、メモリ９２からの被写体画像の読出しタイミングを示すタイムチャートである。なお、図４（ｄ）、図４（ｅ）、図４（ｈ）、図４（ｉ）、図４（ｌ）、及び図４（ｍ）では、撮像されたタイミングが異なることを判別可能とするために、各被写体画像を各被写体画像ＷＬＩ１〜ＷＬＩ６としている。図４（ｆ）、図４（ｊ）、及び図４（ｎ）は、撮像素子５２１にて生成された蛍光画像のメモリ９２への書込みタイミングを示すタイムチャートである。図４（ｇ）、図４（ｋ）、及び図４（ｏ）は、メモリ９２からの蛍光画像の読出しタイミングを示すタイムチャートである。なお、図４（ｆ）、図４（ｇ）、図４（ｊ）、図４（ｋ）、図４（ｎ）、及び図４（ｏ）では、撮像されたタイミングが異なることを判別可能とするために、各蛍光画像を各蛍光画像ＩＲ１〜ＩＲ３としている。図５（ａ）は、第１の画像処理部９３２に順次、入力される被写体画像ＷＬＩ１〜ＷＬＩ６を時系列で並べた図である。図５（ｂ）は、第２の画像処理部９３３に順次、入力される蛍光画像ＩＲ１〜ＩＲ３を時系列で並べた図である。なお、図５（ｂ）では、蛍光画像ＩＲ１〜ＩＲ３において、生体内でインドシアニングリーン等の蛍光物質（薬剤）が励起した励起領域を白で表現し、当該励起領域以外の領域を黒で表現している。図５（ｃ）は、重畳画像生成部９３４にて順次、生成された重畳画像Ｄ１〜Ｄ７を時系列で並べた図である。なお、図５（ｃ）では、重畳画像Ｄ１〜Ｄ７において、上述した励起領域を斜め線で表現している。
【００４０】
先ず、光源制御部９４１は、以下に示すように、第１，第２の光源３１，３２の時分割駆動を実行する（ステップＳ１）。
光源制御部９４１は、同期信号（図４（ａ））に基づいて、図４（ｂ）に示すように、周期的に繰り返される各期間Ｔのうち、第１の期間Ｔ１において第１の光源３１をパルス発光させ、当該第１の期間Ｔ１とは異なる期間であり、かつ、当該第１の期間Ｔ１よりも頻度の少ない第２の期間Ｔ２において第２の光源３２をパルス発光させる。
本実施の形態では、周期的に繰り返される各期間Ｔは、図４（ｂ）に示すように、第１の期間Ｔ１が２回、連続した後、第２の期間Ｔ２となる期間Ｔ０が繰り返されたものである。すなわち、第２の期間Ｔ２の頻度は、第１の期間Ｔ１の半分である。言い換えれば、第１の期間Ｔ１と第２の期間Ｔ２との比率は、２：１である。
【００４１】
また、図４（ｂ）では、第１の期間Ｔ１が開始されるタイミングＳＴにおいて第１の光源３１のパルス発光を開始し、第１の期間Ｔ１が終了する前のタイミングＥＮにおいて第１の光源３１のパルス発光を終了しているが、これに限らない。例えば、第１の期間Ｔ１中、常時、第１の光源３１をパルス発光させても構わない。なお、第２の光源３２のパルス発光も同様である。
【００４２】
ステップＳ１の後、撮像制御部９４２は、同期信号（図４（ａ））に基づいて、第１，第２の光源３１，３２の発光タイミングに同期させ、撮像素子５２１に各期間Ｔにおいて被写体像及び蛍光像をそれぞれ撮像させる（ステップＳ２〜Ｓ４）。すなわち、撮像素子５２１は、第１の期間Ｔ１である場合（ステップＳ２：Ｙｅｓ）、言い換えれば、生体内に白色光が照射された場合には、当該生体内で反射された被写体像を撮像して被写体画像を生成する（ステップＳ３）。一方、撮像素子５２１は、第２の期間Ｔ２である場合（ステップＳ２：Ｎｏ）、言い換えれば、生体内に近赤外励起光が照射された場合には、当該生体内におけるインドシアニングリーン等の蛍光物質（薬剤）が励起され、当該生体内から発せられた蛍光像を撮像して蛍光画像を生成する（ステップＳ４）。
【００４３】
ステップＳ３及びステップＳ４の後、メモリコントローラ９３１は、同期信号（図４（ａ））に基づいて、以下に示すように、メモリ９２への撮像画像の書込み及び読出しを制御する（ステップＳ５）。
なお、以下の説明（ステップＳ５〜Ｓ８）では、説明の便宜上、第１の期間Ｔ１１〜Ｔ１６においてそれぞれ撮像された被写体画像ＷＬＩ１〜ＷＬＩ６、及び第２の期間Ｔ２１〜Ｔ２３においてそれぞれ撮像された蛍光画像ＩＲ１〜ＩＲ３の処理についてのみ説明する。そして、第２の期間Ｔ２３の後に撮像された被写体画像及び蛍光画像の処理については説明を省略する。
【００４４】
メモリコントローラ９３１は、図４（ｂ）中、最も早い第１の期間Ｔ１１において撮像された被写体画像ＷＬＩ１を撮像素子５２１からの当該被写体画像ＷＬＩ１の出力タイミング（図４（ｃ））と略同時の第１の書込みタイミングＷ１（図４（ｄ））でメモリ９２に書き込む。また、メモリコントローラ９３１は、第１の期間Ｔ１１の直後の第１の期間Ｔ１２（図４（ｂ））において撮像された被写体画像ＷＬＩ２を撮像素子５２１からの当該被写体画像ＷＬＩ２の出力タイミング（図４（ｃ））と略同時の第２の書込みタイミングＷ２（図４（ｄ））でメモリ９２に書き込む。
【００４５】
また、メモリコントローラ９３１は、メモリ９２への被写体画像ＷＬＩ２の書込みを完了したタイミングと略同時の第１の読出しタイミングＲ１（図４（ｅ））でメモリ９２から被写体画像ＷＬＩ１を読み出し、当該読み出した被写体画像ＷＬＩ１を第１の画像処理部９３２に入力させる。さらに、メモリコントローラ９３１は、メモリ９２からの被写体画像ＷＬＩ１の読出しを完了したタイミングと略同時の第２の読出しタイミングＲ２（図４（ｅ））でメモリ９２から被写体画像ＷＬＩ２を読み出し、当該読み出した被写体画像ＷＬＩ２を第１の画像処理部９３２に入力させる。また、メモリコントローラ９３１は、第１の期間Ｔ１２の直後の第２の期間Ｔ２１（図４（ｂ））において撮像された被写体画像を擬似的に生成するために、メモリ９２からの被写体画像ＷＬＩ２の読出しを完了したタイミングと略同時の第３の読出しタイミングＲ３（図４（ｅ））でメモリ９２から再度、被写体画像ＷＬＩ２を読み出し、当該再度、読み出した被写体画像ＷＬＩ２を第１の画像処理部９３２に入力させる。
【００４６】
なお、以下では、説明の便宜上、第２の読出しタイミングＲ２でメモリ９２から読み出した被写体画像ＷＬＩ２を１回目の被写体画像ＷＬＩ２と記載する。また、第３の読出しタイミングＲ３でメモリ９２から再度、読み出した被写体画像ＷＬＩ２を２回目の被写体画像ＷＬＩ２と記載する。
【００４７】
また、メモリコントローラ９３１は、第２の期間Ｔ２１において撮像された蛍光画像ＩＲ１を撮像素子５２１からの当該蛍光画像ＩＲ１の出力タイミング（図４（ｃ））と略同時の第３の書込みタイミングＷ３（図４（ｆ））でメモリ９２に書き込む。さらに、メモリコントローラ９３１は、第３の読出しタイミングＲ３でメモリ９２から蛍光画像ＩＲ１を読み出し、当該読み出した蛍光画像ＩＲ１を第２の画像処理部９３３に入力させる。また、メモリコントローラ９３１は、第２の期間Ｔ２１の直後の第１の期間Ｔ１３（図４（ｂ））において撮像された蛍光画像を擬似的に生成するために、メモリ９２からの蛍光画像ＩＲ１の読出しを完了したタイミングと略同時の第４の読出しタイミングＲ４（図４（ｇ））でメモリ９２から再度、蛍光画像ＩＲ１を読み出し、当該再度、読み出した蛍光画像ＩＲ１を第２の画像処理部９３３に入力させる。さらに、メモリコントローラ９３１は、第１の期間Ｔ１３の直後の第１の期間Ｔ１４（図４（ｂ））において撮像された蛍光画像を擬似的に生成するために、メモリ９２からの２回目の蛍光画像ＩＲ１の読出しを完了したタイミングと略同時の第５の読出しタイミングＲ５（図４（ｇ））でメモリ９２から再度（３回目）、蛍光画像ＩＲ１を読み出し、当該再度、読み出した蛍光画像ＩＲ１を第２の画像処理部９３３に入力させる。
【００４８】
なお、以下では、説明の便宜上、第３の読出しタイミングＲ３でメモリ９２から読み出した蛍光画像ＩＲ１を１回目の蛍光画像ＩＲ１と記載する。また、第４の読出しタイミングＲ４でメモリ９２から再度（２回目）、読み出した蛍光画像ＩＲ１を２回目の蛍光画像ＩＲ１と記載する。さらに、第５の読出しタイミングＲ５でメモリ９２から再度（３回目）、読み出した蛍光画像ＩＲ１を３回目の蛍光画像ＩＲ１と記載する。
【００４９】
また、メモリコントローラ９３１は、第１の期間Ｔ１３において撮像された被写体画像ＷＬＩ３を撮像素子５２１からの当該被写体画像ＷＬＩ３の出力タイミング（図４（ｃ））と略同時の第４の書込みタイミングＷ４（図４（ｈ））でメモリ９２に書き込む。さらに、メモリコントローラ９３１は、第１の期間Ｔ１４において撮像された被写体画像ＷＬＩ４を撮像素子５２１からの当該被写体画像ＷＬＩ４の出力タイミング（図４（ｃ））と略同時の第５の書込みタイミングＷ５（図４（ｈ））でメモリ９２に書き込む。
【００５０】
また、メモリコントローラ９３１は、メモリ９２への被写体画像ＷＬＩ４の書込みを完了したタイミングと略同時の第４の読出しタイミングＲ４でメモリ９２から被写体画像ＷＬＩ３を読み出し、当該読み出した被写体画像ＷＬＩ３を第１の画像処理部９３２に入力させる。さらに、メモリコントローラ９３１は、メモリ９２からの被写体画像ＷＬＩ３の読出しを完了したタイミングと略同時の第５の読出しタイミングＲ５でメモリ９２から被写体画像ＷＬＩ４を読み出し、当該読み出した被写体画像ＷＬＩ４を第１の画像処理部９３２に入力させる。また、メモリコントローラ９３１は、第１の期間Ｔ１４の直後の第２の期間Ｔ２２（図４（ｂ））において撮像された被写体画像を擬似的に生成するために、メモリ９２からの被写体画像ＷＬＩ４の読出しを完了したタイミングと略同時の第６の読出しタイミングＲ６（図４（ｉ））でメモリ９２から再度、被写体画像ＷＬＩ４を読み出し、当該再度、読み出した被写体画像ＷＬＩ４を第１の画像処理部９３２に入力させる。
【００５１】
なお、以下では、説明の便宜上、第５の読出しタイミングＲ５でメモリ９２から読み出した被写体画像ＷＬＩ４を１回目の被写体画像ＷＬＩ４と記載する。また、第６の読出しタイミングＲ６でメモリ９２から再度、読み出した被写体画像ＷＬＩ４を２回目の被写体画像ＷＬＩ４と記載する。
【００５２】
また、メモリコントローラ９３１は、第２の期間Ｔ２２において撮像された蛍光画像ＩＲ２を撮像素子５２１からの当該蛍光画像ＩＲ２の出力タイミング（図４（ｃ））と略同時の第６の書込みタイミングＷ６（図４（ｊ））でメモリ９２に書き込む。さらに、メモリコントローラ９３１は、第６の読出しタイミングＲ６でメモリ９２から蛍光画像ＩＲ２を読み出し、当該読み出した蛍光画像ＩＲ２を第２の画像処理部９３３に入力させる。また、メモリコントローラ９３１は、第２の期間Ｔ２２の直後の第１の期間Ｔ１５（図４（ｂ））において撮像された蛍光画像を擬似的に生成するために、メモリ９２からの蛍光画像ＩＲ２の読出しを完了したタイミングと略同時の第７の読出しタイミングＲ７（図４（ｋ））でメモリ９２から再度、蛍光画像ＩＲ２を読み出し、当該再度、読み出した蛍光画像ＩＲ２を第２の画像処理部９３３に入力させる。さらに、メモリコントローラ９３１は、第１の期間Ｔ１５の直後の第１の期間Ｔ１６（図４（ｂ））において撮像された蛍光画像を擬似的に生成するために、メモリ９２からの２回目の蛍光画像ＩＲ２の読出しを完了したタイミングと略同時の第８の読出しタイミングＲ８（図４（ｋ））でメモリ９２から再度（３回目）、蛍光画像ＩＲ２を読み出し、当該再度、読み出した蛍光画像ＩＲ２を第２の画像処理部９３３に入力させる。
【００５３】
なお、以下では、説明の便宜上、第６の読出しタイミングＲ６でメモリ９２から読み出した蛍光画像ＩＲ２を１回目の蛍光画像ＩＲ２と記載する。また、第７の読出しタイミングＲ７でメモリ９２から再度（２回目）、読み出した蛍光画像ＩＲ２を２回目の蛍光画像ＩＲ２と記載する。さらに、第８の読出しタイミングＲ８でメモリ９２から再度（３回目）、読み出した蛍光画像ＩＲ２を３回目の蛍光画像ＩＲ２と記載する。
【００５４】
また、メモリコントローラ９３１は、第１の期間Ｔ１５において撮像された被写体画像ＷＬＩ５を撮像素子５２１からの当該被写体画像ＷＬＩ５の出力タイミング（図４（ｃ））と略同時の第７の書込みタイミングＷ７（図４（ｌ））でメモリ９２に書き込む。さらに、メモリコントローラ９３１は、第１の期間Ｔ１６において撮像された被写体画像ＷＬＩ６を撮像素子５２１からの当該被写体画像ＷＬＩ６の出力タイミング（図４（ｃ））と略同時の第８の書込みタイミングＷ８（図４（ｍ））でメモリ９２に書き込む。
【００５５】
また、メモリコントローラ９３１は、メモリ９２への被写体画像ＷＬＩ６の書込みを完了したタイミングと略同時の第７の読出しタイミングＲ７でメモリ９２から被写体画像ＷＬＩ５を読み出し、当該読み出した被写体画像ＷＬＩ５を第１の画像処理部９３２に入力させる。さらに、メモリコントローラ９３１は、メモリ９２からの被写体画像ＷＬＩ５の読出しを完了したタイミングと略同時の第８の読出しタイミングＲ８でメモリ９２からの被写体画像ＷＬＩ６を読み出し、当該読み出した被写体画像ＷＬＩ６を第１の画像処理部９３２に入力させる。また、メモリコントローラ９３１は、第１の期間Ｔ１６直後の第２の期間Ｔ２３（図４（ｂ））において撮像された被写体画像を擬似的に生成するために、メモリ９２からの被写体画像ＷＬＩ６の読出しを完了したタイミングと略同時の第９の読出しタイミングＲ９（図４（ｍ））でメモリ９２から再度、被写体画像ＷＬＩ６を読み出し、当該再度、読み出した被写体画像ＷＬＩ６を第１の画像処理部９３２に入力させる。
【００５６】
なお、以下では、説明の便宜上、第８の読出しタイミングＲ８でメモリ９２から読み出した被写体画像ＷＬＩ６を１回目の被写体画像ＷＬＩ６と記載する。また、第９の読出しタイミングＲ９でメモリ９２から再度、読み出した被写体画像ＷＬＩ６を２回目の被写体画像ＷＬＩ６と記載する。
【００５７】
また、メモリコントローラ９３１は、第２の期間Ｔ２３において撮像された蛍光画像ＩＲ３を撮像素子５２１からの当該蛍光画像ＩＲ３の出力タイミング（図４（ｃ））と略同時の第９の書込みタイミングＷ９（図４（ｎ））でメモリ９２に書き込む。さらに、メモリコントローラ９３１は、第９の読出しタイミングＲ９でメモリ９２から蛍光画像ＩＲ３を読み出し、当該読み出した蛍光画像ＩＲ３を第２の画像処理部９３３に入力させる。また、メモリコントローラ９３１は、第２の期間Ｔ２３の直後の第１の期間Ｔ１７（図４（ｂ））において撮像された蛍光画像を擬似的に生成するために、メモリ９２からの蛍光画像ＩＲ３の読出しを完了したタイミングと略同時の第１０の読出しタイミングＲ１０（図４（ｏ））でメモリ９２から再度、蛍光画像ＩＲ３を読み出し、当該再度、読み出した蛍光画像ＩＲ３を第２の画像処理部９３３に入力させる。さらに、メモリコントローラ９３１は、第１の期間Ｔ１７の直後の第１の期間Ｔ１８（図４（ｂ））において撮像された蛍光画像を擬似的に生成するために、メモリ９２からの２回目の蛍光画像ＩＲ３の読出しを完了したタイミングと略同時の第１１の読出しタイミングＲ１１（図４（ｏ））でメモリ９２から再度（３回目）、蛍光画像ＩＲ３を読み出し、当該再度、読み出した蛍光画像ＩＲ３を第２の画像処理部９３３に入力させる。
【００５８】
なお、以下では、説明の便宜上、第９の読出しタイミングＲ９でメモリ９２から読み出した蛍光画像ＩＲ３を１回目の蛍光画像ＩＲ３と記載する。また、第１０の読出しタイミングＲ１０でメモリ９２から再度（２回目）、読み出した蛍光画像ＩＲ３を２回目の蛍光画像ＩＲ３と記載する。さらに、第１１の読出しタイミングＲ１１でメモリ９２から再度（３回目）、読み出した蛍光画像ＩＲ３を３回目の蛍光画像ＩＲ３と記載する。
【００５９】
以上を纏めると、被写体画像ＷＬＩ１〜ＷＬＩ６は、第１の画像処理部９３２に対して、図５（ａ）に示すように、被写体画像ＷＬＩ１、１回目の被写体画像ＷＬＩ２、２回目の被写体画像ＷＬＩ２、被写体画像ＷＬＩ３、１回目の被写体画像ＷＬＩ４、２回目の被写体画像ＷＬＩ４、被写体画像ＷＬＩ５、１回目の被写体画像ＷＬＩ６、及び２回目の被写体画像ＷＬＩ６の順に入力する。また、蛍光画像ＩＲ１〜ＩＲ３は、第２の画像処理部９３３に対して、図５（ｂ）に示すように、１回目の蛍光画像ＩＲ１、２回目の蛍光画像ＩＲ１、３回目の蛍光画像ＩＲ１、１回目の蛍光画像ＩＲ２、２回目の蛍光画像ＩＲ２、３回目の蛍光画像ＩＲ２、及び１回目の蛍光画像ＩＲ３の順に入力する。
【００６０】
ステップＳ５の後、第１，第２の画像処理部９３２，９３３は、以下に示す処理を実行する（ステップＳ６）。
すなわち、第１の画像処理部９３２は、順次、入力した各被写体画像ＷＬＩ１〜ＷＬＩ６に対して順次、第１の画像処理を実行する。また、第２の画像処理部９３３は、順次、入力した各蛍光画像ＩＲ１〜ＩＲ３に対して順次、第２の画像処理を実行する。
【００６１】
ステップＳ６の後、重畳画像生成部９３４は、以下に示す処理を実行する（ステップＳ７）。
すなわち、重畳画像生成部９３４は、図５（ｃ）に示すように、同一の第３の読出しタイミングＲ３でメモリ９２からそれぞれ読み出され、第１の画像処理が実行された２回目の被写体画像ＷＬＩ２と、第２の画像処理が実行された１回目の蛍光画像ＩＲ１とを全ての領域について対応する画素同士で重畳して重畳画像Ｄ１を生成する。同様に、重畳画像生成部９３４は、被写体画像ＷＬＩ３及び２回目の蛍光画像ＩＲ１から重畳画像Ｄ２、１回目の被写体画像ＷＬＩ４及び３回目の蛍光画像ＩＲ１から重畳画像Ｄ３、２回目の被写体画像ＷＬＩ４及び１回目の蛍光画像ＩＲ２から重畳画像Ｄ４、被写体画像ＷＬＩ５及び２回目の蛍光画像ＩＲ２から重畳画像Ｄ５、１回目の被写体画像ＷＬＩ６及び３回目の蛍光画像ＩＲ２から重畳画像Ｄ６、２回目の被写体画像ＷＬＩ６及び１回目の蛍光画像ＩＲ３から重畳画像Ｄ７を順次、生成する。
【００６２】
ステップＳ７の後、表示制御部９３５は、重畳画像生成部９３４にて順次、生成された重畳画像Ｄ１〜Ｄ７に基づく映像信号を順次、生成し、当該映像信号を表示装置７に順次、出力する（ステップＳ８）。これにより、表示装置７には、重畳画像Ｄ１〜Ｄ７が順次、表示される。
【００６３】
以上説明した本実施の形態によれば、以下の効果を奏する。
本実施の形態に係る医療用光源装置１００では、第１の光源３１は、白色光を発光するＬＥＤである。一方、第２の光源３２は、近赤外励起光を発光する半導体レーザである。すなわち、第１，第２の光源３１，３２の仕様として、第１の光源３１は、第２の光源３２よりも寿命が長い。また、医療用光源装置１００では、光源制御部９４１は、第１の光源３１がパルス発光する頻度に対して第２の光源３２がパルス発光する頻度を少なくした状態で第１，第２の光源３１，３２の動作を制御する。
このため、寿命の短い第２の光源３２の使用時間を寿命の長い第１の光源３１の使用時間よりも短くし、第１，第２の光源３１，３２の寿命差を低減することができる。したがって、本実施の形態に係る医療用光源装置１００によれば、第１，第２の光源３１，３２の交換時期を略同一の時期にすることができ、利便性を向上させることができる。
【００６４】
また、本実施の形態に係る医療用観察システム１では、光源制御部９４１は、第１の期間Ｔ１に第１の光源３１をパルス発光させるとともに、第２の期間Ｔ２に第２の光源３２をパルス発光させる。また、撮像素子５２１は、第１の期間Ｔ１において撮像することで被写体画像ＷＬＩ１〜ＷＬＩ６を生成し、第２の期間Ｔ２において撮像することで蛍光画像ＩＲ１〜ＩＲ３を生成する。そして、被写体画像ＷＬＩ１〜ＷＬＩ６は、第１の画像処理部９３２に入力される。一方、蛍光画像ＩＲ１〜ＩＲ３は、第２の画像処理部９３３に入力される。
このため、被写体画像ＷＬＩ１〜ＷＬＩ６に対して第１の画像処理を実行し、蛍光画像ＩＲ１〜ＩＲ３に対して第１の画像処理とは異なる第２の画像処理を実行することができる。すなわち、被写体像及び蛍光像の特性に応じて適切な画像処理を実行することができ、適切な重畳画像Ｄ１〜Ｄ７を表示装置７に表示させることができる。
【００６５】
また、本実施の形態に係る医療用観察システム１では、メモリコントローラ９３１は、第２の期間Ｔ２において撮像された被写体画像を擬似的に生成するために、メモリ９２から直前に読み出した被写体画像を再度、メモリ９２から読み出し、当該再度、読み出した被写体画像を第１の画像処理部９３２に入力させる。同様に、メモリコントローラ９３１は、第１の期間Ｔ１において撮像された蛍光画像を擬似的に生成するために、メモリ９２から直前に読み出した蛍光画像を再度、メモリ９２から読み出し、当該再度、読み出した蛍光画像を第２の画像処理部９３３に入力させる。また、第１の期間Ｔ１と第２の期間Ｔ２との比率は、２：１である。
ここで、第１の期間Ｔ１と第２の期間Ｔ２とが１：１である場合に、メモリコントローラ９３１が上記同様の処理を行った場合を想定する。また、撮像素子５２１のフレームレートが６０ｆｐｓであるとする。この場合には、６０ｆｐｓで撮像された被写体画像が２回連続で表示されるとともに、当該表示が繰り返されることとなるため、当該被写体画像のフレームレートは、３０ｆｐｓとなる。なお、蛍光画像も同様である。すなわち、被写体画像及び蛍光画像の双方のフレームレートが比較的に低い（３０ｆｐｓ）ため、双方の映像が滑らかに動き難く、表示品質を向上させることが難しい。
一方で、本実施の形態のように構成した場合には、時系列で並ぶ３枚の被写体画像のうち、２枚が同一の画像となるため、当該被写体画像のフレームレートは、４０ｆｐｓとなる。また、時系列で並ぶ３枚の蛍光画像が同一の画像となるため、当該蛍光画像のフレームレートは、２０ｆｐｓとなる。すなわち、被写体画像及び蛍光画像のうち、映像の動きの滑らかさを判別し易い被写体画像のフレームレートを比較的に高くすることができ、表示品質を向上させることができる。
【００６６】
（その他の実施の形態）
ここまで、本発明を実施するための形態を説明してきたが、本発明は上述した実施の形態によってのみ限定されるべきものではない。
上述した実施の形態では、第１の光源３１が白色光を発光し、第２の光源３２が近赤外励起光を発光していたが、これに限らない。第１，第２の光源３１，３２としては、第１の光源３１が第１の波長帯域の光を発光し、第２の光源３２が第１の波長帯域とは異なる第２の波長帯域の光を発光していれば、その他の構成を採用しても構わない。この際、第１，第２の波長帯域は、一部が重複する帯域であってもよく、あるいは、全く重複しない帯域であっても構わない。
【００６７】
ところで、従来、癌細胞を検出する癌診断法の一つである光線力学診断（Photo  Dynamic  Diagnosis：PDD）が知られている。
当該光線力学診断では、例えば5-アミノレブリン酸（以下、5-ALAと記載）等の光感受性物質が用いられる。当該5-ALAは、元来、動植物の生体内に含まれる天然アミノ酸である。この5-ALAは、体内投与後に細胞内に取り込まれ、ミトコンドリア内でプロトポルフィリンに生合成される。そして、癌細胞では、当該プロトポルフィリンが過剰に集積する。また、当該癌細胞に過剰集積するプロトポルフィリンは、光活性を有する。このため、当該プロトポルフィリンは、励起光（例えば375nm〜445nmの波長帯域の青色可視光）で励起すると、蛍光（例えば600nm〜740nmの波長帯域の赤色蛍光）を発光する。このように、光感受性物質を用いて癌細胞を蛍光発光させる癌診断法を光線力学診断という。
そして、上述した実施の形態において、白色光を発光するＬＥＤで第１の光源３１を構成し、プロトポルフィリンを励起する励起光（例えば375nm〜445nmの波長帯域の青色可視光）を発光する半導体レーザで第２の光源３２を構成しても構わない。このように構成した場合であっても、上述した実施の形態と同様の効果を奏する。
【００６８】
上述した実施の形態では、第１，第２の光源３１，３２は、時分割駆動（時間的に異なる期間にそれぞれ発光）していたが、これに限らず、パルス発光する頻度が第１の光源３１よりも第２の光源３２の方が少ない関係を維持していれば、同一の時間にパルス発光している構成を採用しても構わない。また、第１の光源３１と第２の光源３２とのパルス発光する頻度の比率は、２：１に限らず、上述した関係であれば、いずれの比率を採用しても構わない。
【００６９】
上述した実施の形態において、例えば、入力部９５への操作によって、２つの光源のうち、パルス発光させる頻度を少なくする方、あるいは、多くする方を選択可能な構成を採用しても構わない。
上述した実施の形態では、被写体画像と蛍光画像とを重畳表示していたが、これに限らず、ピクチャインピクチャ（ＰｉｎＰ）等により表示装置７上の異なる画面に被写体画像と蛍光画像とをそれぞれ表示する構成としても構わない。また、表示装置７を複数、設け、被写体画像と蛍光画像とを異なる表示装置７にそれぞれ表示する構成を採用しても構わない。
【００７０】
上述した実施の形態では、挿入部２を硬性内視鏡で構成した医療用観察システム１に本発明に係る医療用光源装置を搭載していたが、これに限らない。例えば、挿入部２を軟性内視鏡で構成した医療用観察システムに本発明に係る医療用光源装置を搭載しても構わない。また、被写体内（生体内）や被写体表面（生体表面）の所定の視野領域を拡大して観察する手術用顕微鏡（例えば、特開２０１６−４２９８１号公報参照）等の医療用観察システムに本発明に係る医療用光源装置を搭載しても構わない。
上述した実施の形態において、カメラヘッド５の一部の構成や制御装置９の一部の構成を例えばコネクタＣＮ１やコネクタＣＮ２に設けても構わない。
【符号の説明】
【００７１】
１  医療用観察システム
２  挿入部
３  光源装置
４  ライトガイド
５  カメラヘッド
６  第１伝送ケーブル
７  表示装置
８  第２伝送ケーブル
９  制御装置
１０  第３伝送ケーブル
２１  接眼部
３１  第１の光源
３２  第２の光源
５１  レンズユニット
５２  撮像部
５３  通信部
９１  通信部
９２  メモリ
９３  観察画像生成部
９４  制御部
９５  入力部
９６  出力部
９７  記憶部
１００  医療用光源装置
５２１  撮像素子
５２２  信号処理部
９３１  メモリコントローラ
９３２  第１の画像処理部
９３３  第２の画像処理部
９３４  重畳画像生成部
９３５  表示制御部
９４１  光源制御部
９４２  撮像制御部
ＣＮ１，ＣＮ２  コネクタ
Ｄ１〜Ｄ７  重畳画像
ＥＮ，ＳＴ  タイミング
ＩＲ１〜ＩＲ３  蛍光画像
Ｒ１  第１の読出しタイミング
Ｒ２  第２の読出しタイミング
Ｒ３  第３の読出しタイミング
Ｒ４  第４の読出しタイミング
Ｒ５  第５の読出しタイミング
Ｒ６  第６の読出しタイミング
Ｒ７  第７の読出しタイミング
Ｒ８  第８の読出しタイミング
Ｒ９  第９の読出しタイミング
Ｒ１０  第１０の読出しタイミング
Ｒ１１  第１１の読出しタイミング
Ｔ，Ｔ０  期間
Ｔ１，Ｔ１１〜Ｔ１８  第１の期間
Ｔ２，Ｔ２１〜Ｔ２３  第２の期間
Ｗ１  第１の書込みタイミング
Ｗ２  第２の書込みタイミング
Ｗ３  第３の書込みタイミング
Ｗ４  第４の書込みタイミング
Ｗ５  第５の書込みタイミング
Ｗ６  第６の書込みタイミング
Ｗ７  第７の書込みタイミング
Ｗ８  第８の書込みタイミング
Ｗ９  第９の書込みタイミング
ＷＬＩ１〜ＷＬＩ６  被写体画像
【図１】
2020130538.tif 000003
【図２】
2020130538.tif 000004
【図３】
2020130538.tif 000005
【図４】
2020130538.tif 000006
【図５】
2020130538.tif 000007